(57)【要約】【課題】用紙の挿入不良の発生を抑制し、かつ、針足の座屈の発生を抑制することが可能なステープラを提供する。【解決手段】ステープラ１Ａは、針が収納された針カートリッジ１００Ａを備え、針カートリッジ１００Ａは、用紙を挟持する第１の挟持部４０Ａと、第１の挟持部４０Ａの端部に設けられ、打ち出される針をガイドする針ガイド部１０１Ａを備え、第１の挟持部４０Ａは樹脂素材で構成され、針ガイド部１０１Ａは、第１の挟持部４０Ａの下側に設けられ、打ち出される針の針足を支持する針足支持部材１０４Ａと、針足支持部材１０４Ａと対向して設けられるガイド部材１０２Ａを備え、針足支持部材１０４Ａとガイド部材１０２Ａが金属素材で構成される。【選択図】図３
2018069634.tif 000002
【特許請求の範囲】
【請求項１】
針を打ち出して用紙に貫通させる針打出部と、
前記針打出部に取り付けられ、当該針打出部から打ち出される前の針を収納する針収納部と、
用紙を貫通した針の針足を折り曲げて用紙を綴じる綴じ部と、
前記針打出部と前記綴じ部との間に用紙を挟持する用紙挟持部を備え、
前記針収納部は、前記用紙挟持部に露出して用紙を挟持する挟持部と、前記針打出部の位置する側の前記挟持部の端部に設けられ、前記針打出部で打ち出される針をガイドする針ガイド部を備え、
前記挟持部は樹脂素材で構成され、
前記針ガイド部は、
前記挟持部に対し、用紙が挟持される側の反対側に設けられ、前記針打出部で打ち出される針の針足を支持する針足支持部材と、
前記針足支持部材と対向して設けられるガイド部材を備え、
前記針足支持部材と前記ガイド部材は金属素材で構成される
ことを特徴とするステープラ。
【請求項２】
前記針足支持部材は、前記ガイド部材に近づく方向及び離れる方向に移動可能に設けられ、前記ガイド部材へ近づく方向に付勢される
ことを特徴とする請求項１に記載のステープラ。
【請求項３】
前記針足支持部材は、前記ガイド部材との間に１本の針が通る間隔を形成して固定される
ことを特徴とする請求項１に記載のステープラ。
【発明の詳細な説明】
【技術分野】
【０００１】
本発明は、複数枚の用紙をステープルと称す針で綴じるステープラに関する。
【背景技術】
【０００２】
後処理装置に使用される電動のステープラでは、針が収納される針カートリッジに、打ち出される針をガイドする針ガイド部が設けられる（例えば、特許文献１参照）。針ガイド部としては、針カートリッジの前側の端部に設けられるフェースプレート等と称すガイド部材と対向する針足支持部材を設け、針カートリッジから打ち出される針の針足を、針足支持部材でガイド部材に押圧する構成を備えた針カートリッジが提案されている。
【０００３】
このような針カートリッジが取り付けられるステープラでは、針カートリッジの外装を構成するケースの一部で、用紙を挟持する挟持部を構成する技術が提案されている（例えば、特許文献２参照）。針カートリッジのケースは、通常樹脂素材で構成される。従来の針カートリッジでは、樹脂素材のケースで構成される挟持部に、金属素材で構成される針足支持部材が露出する構成である。
【先行技術文献】
【特許文献】
【０００４】
【特許文献１】特開２００４−２０９５６１号公報
【特許文献２】特開２００６−２６８６０号公報
【発明の概要】
【発明が解決しようとする課題】
【０００５】
従来のステープラでは、針カートリッジのケースで構成される挟持部に針足支持部材が露出している。針カートリッジのケースと、針足支持部材は独立した部品であるので、挟持部の表面には、挟持部と針足支持部材との境目に形成された溝や段差等が露出する。このため、用紙挟持部に用紙を挿入する動作で、用紙が溝や段差等に引っ掛かり、用紙の挿入不良が発生する可能性があった。また、針足支持部材を設けない構成では、用紙を貫通させる動作で針の針足を十分に支持できず、座屈が発生する可能性があった。
【０００６】
本発明は、そのような課題を解決するためなされたもので、用紙の挿入不良の発生を抑制し、かつ、針足の座屈の発生を抑制することが可能なステープラを提供することを目的とする。
【課題を解決するための手段】
【０００７】
上述した課題を解決するため、本発明は、針を打ち出して用紙に貫通させる針打出部と、針打出部に取り付けられ、針打出部から打ち出される前の針を収納する針収納部と、用紙を貫通した針の針足を折り曲げて用紙を綴じる綴じ部と、針打出部と綴じ部との間に用紙を挟持する用紙挟持部を備え、針収納部は、用紙挟持部に露出して用紙を挟持する挟持部と、針打出部の位置する側の挟持部の端部に設けられ、針打出部で打ち出される針をガイドする針ガイド部を備え、挟持部は樹脂素材で構成され、針ガイド部は、挟持部に対し、用紙が挟持される側の反対側に設けられ、針打出部で打ち出される針の針足を支持する針足支持部材と、針足支持部材と対向して設けられるガイド部材を備え、針足支持部材とガイド部材は金属素材で構成されるステープラである。
【０００８】
また、針で用紙を綴じるステープラを備えて、画像の形成された用紙に後処理を施す後処理装置であって、ステープラは、針を打ち出して用紙に貫通させる針打出部と、針打出部に取り付けられ、針打出部から打ち出される前の針を収納する針収納部と、用紙を貫通した針の針足を折り曲げて用紙を綴じる綴じ部と、針打出部と綴じ部との間に用紙を挟持する用紙挟持部を備え、針収納部は、用紙挟持部に露出して用紙を挟持する挟持部と、針打出部の位置する側の挟持部の端部に設けられ、針打出部で打ち出される針をガイドする針ガイド部を備え、挟持部は樹脂素材で構成され、針ガイド部は、挟持部に対し、用紙が挟持される側の反対側に設けられ、針打出部で打ち出される針の針足を支持する針足支持部材と、針足支持部材と対向して設けられるガイド部材を備え、針足支持部材とガイド部材は金属素材で構成される後処理装置に好適なステープラである。
【０００９】
更に、用紙に画像を形成して出力する画像形成装置と、画像形成装置に接続されて用紙に後処理を施す上述した後処理装置を備えた画像形成システムに好適なステープラである。
【００１０】
本発明では、針収納部から打ち出される針は、金属素材で構成されるガイド部材と針足支持部材で針足がガイドされる。針足支持部材は、用紙挟持部で用紙を挟持する挟持部の用紙と接する面と反対側に設けられ、挟持部の表面に針足支持部材が露出しない。
【発明の効果】
【００１１】
本発明では、挟持部の表面に針足支持部材が露出しないので、用紙挟持部に用紙を挿入する動作で、用紙が途中で引っ掛かることが抑制され、用紙の挿入不良の発生を抑制することができる。
【００１２】
また、樹脂素材で構成される挟持部の端部を通り、針収納部から打ち出される針は、挟持部の用紙と接する面と反対側で、金属素材で構成されるガイド部材と針足支持部材で針足がガイドされるので、針足の座屈の発生を抑制することができる。
【図面の簡単な説明】
【００１３】
【図１】本実施の形態のステープラの一例を示す側面図である。
【図２】本実施の形態のステープラの一例を示す要部側面図である。
【図３】ステープラに取り付けられる本実施の形態の針カートリッジの一例を示す斜視図である。
【図４】針で用紙を綴じる動作の一例を示す説明図である。
【図５】本実施の形態の画像形成システムの概要を示す構成図である。
【図６】本実施の形態の後処理装置の一例を示す構成図である。
【図７】本実施の形態のステープラで用紙を綴じる動作の一例を示す説明図である。
【発明を実施するための形態】
【００１４】
以下、図面を参照して、本発明のステープラ、ステープラを備えた後処理措置、後処理装置を備えた画像形成システムの実施の形態について説明する。
【００１５】
＜本実施の形態のステープラの構成例＞
図１は、本実施の形態のステープラの一例を示す側面図、図２は、本実施の形態のステープラの一例を示す要部側面図である。また、図３（ａ）及び図３（ｂ）は、ステープラに取り付けられる本実施の形態の針カートリッジの一例を示す斜視図であり、図３（ａ）は、本実施の形態の針カートリッジの全体斜視図、図３（ｂ）は、本実施の形態の針カートリッジの要部分解斜視図である。更に、図４は、針で用紙を綴じる動作の一例を示す説明図である。
【００１６】
まず、図４を参照して、ステープラ１Ａで用紙Ｐを綴じる動作について説明する。ステープルと称す針１０Ａは、図４（ａ）に示すように、針クラウン１１Ａの両端が一の方向に折り曲げられて、針足１２Ａが形成される。すなわち、針１０Ａは、略コ字形状に成形される。
【００１７】
針１０Ａは、針クラウン１１Ａが押圧されることで、図４（ｂ）に示すように、針足１２Ａが用紙Ｐを貫通し、針クラウン１１Ａが用紙Ｐに接する。針足１２Ａが用紙Ｐを貫通した針１０Ａは、図４（ｃ）に示すように、針足１２Ａを折り曲げた際に互いに重なり合う針足１２Ａの余剰分がカット針１３Ａとしてカットされる。
【００１８】
針足１２Ａが所定の長さにカットされた針１０Ａは、図４（ｄ）に示すように、用紙Ｐを貫通した針足１２Ａが折り曲げられて、用紙Ｐが針１０Ａで綴じられる。
【００１９】
次に、各図を参照して、本実施の形態のステープラ１Ａの構成について説明する。ステープラ１Ａは、針１０Ａの供給及び打ち出しが行われる針打出ユニット２Ａと、針打出ユニット２Ａとの協働で、針１０Ａの針足１２Ａのカット及び針足１２Ａの折り曲げを行って、用紙Ｐを針１０Ａで綴じる綴じユニット３Ａを備える。また、ステープラ１Ａは、針打出ユニット２Ａと綴じユニット３Ａとの間に、用紙Ｐの束を挟持する用紙挟持部４Ａを備える。
【００２０】
以下の説明では、用紙挟持部４Ａが設けられる側をステープラ１Ａの前側とし、用紙挟持部４Ａが設けられる側と反対側を後側とする。また、綴じユニット３Ａが設けられる側をステープラ１Ａの上側とし、針打出ユニット２Ａが設けられる側をステープラ１Ａの下側とする。
【００２１】
針打出ユニット２Ａは針打出部の一例で、針１０Ａが収納された針収納部である針カートリッジ１００Ａが着脱可能に取り付けられる。針打出ユニット２Ａは、針カートリッジ１００Ａから針１０Ａを繰り出す繰り出し部２１Ａと、針１０Ａを用紙Ｐに打ち込む打出部２２Ａを備える。
【００２２】
針１０Ａは、本例では、直線状の複数本の針１０Ａが接着により一体とされた針シートとして提供され、複数の針シートが積載されて針カートリッジ１００Ａに収納される。打出部２２Ａは、針シートの搬送方向の最先端の１本の針１０Ａを打ち出す動作に連動して、２本目もしくは３本目の針１０Ａを、図４（ａ）等に示すように略コ字形状に成形する。
【００２３】
綴じユニット３Ａは綴じ部の一例で、用紙Ｐを貫通した針１０Ａの針足１２Ａを、所定の長さでカットするカット部３０Ａと、用紙Ｐを貫通し、所定の長さにカットされた針１０Ａの針足１２Ａを、用紙Ｐの方向へ折り曲げるクリンチャ部３１Ａを備える。
【００２４】
用紙挟持部４Ａは、針１０Ａによる用紙Ｐの綴じ位置Ｐｉが、打出部２２Ａとクリンチャ部３１Ａとの間に位置できるようにするため、ステープラ１Ａの前側と、左右の両側の３方向が開口した形状である。
【００２５】
用紙挟持部４Ａは、針打出ユニット２Ａに備えられる第１の挟持部４０Ａと、綴じユニット３Ａに、第１の挟持部４０Ａと対向して備えられる第２の挟持部４１Ａとで構成される。ステープラ１Ａは、軸３２Ａを支点とした綴じユニット３Ａの回転動作で、綴じユニット３Ａが針打出ユニット２Ａに近づく方向に移動することで、第１の挟持部４０Ａと第２の挟持部４１Ａの間に用紙Ｐが挟持される。
【００２６】
用紙挟持部４Ａは、矢印ａで示す用紙Ｐの挿入方向の位置を規制する用紙位置規制部４２Ａを備える。用紙位置規制部４２Ａは、矢印ａで示す用紙Ｐの挿入方向に対して、用紙挟持部４Ａの奥側で第１の挟持部４０Ａと第２の挟持部４１Ａとの間に突出する。これにより、用紙挟持部４Ａに挿入された用紙Ｐが、用紙位置規制部４２Ａより奥側に挿入されることが規制される。
【００２７】
針カートリッジ１００Ａは針収納部の一例で、図１に示す打出部２２Ａで打ち出される針１０Ａをガイドする針ガイド部１０１Ａが、図３（ａ）に示すように、図示しない針シートの搬送方向の先端側に設けられる。針カートリッジ１００Ａは、針ガイド部１０１Ａの前側を覆うガイド部材１０２Ａが、ケース１０３Ａに対して開閉可能に取り付けられる。針カートリッジ１００Ａは、ケース１０３Ａが樹脂素材で構成され、ガイド部材１０２Ａが金属素材で構成される。針カートリッジ１００Ａは、針打出ユニット２Ａに取り付けられると、針ガイド部１０１Ａ及び針ガイド部１０１Ａの前側のガイド部材１０２Ａと後側のケース１０３Ａが、第２の挟持部４１Ａと対向して用紙挟持部４Ａに露出する。
【００２８】
ステープラ１Ａは、用紙挟持部４Ａに露出する部位のケース１０３Ａで第１の挟持部４０Ａが構成される。第１の挟持部４０Ａは挟持部の一例で、針ガイド部１０１Ａと用紙位置規制部４２Ａとの間に、針カートリッジ１００Ａの幅方向の全体に延在する所定の形状の面が、針カートリッジ１００Ａのケース１０３Ａにより設けられる。針ガイド部１０１Ａは、第１の挟持部４０Ａの前側の端部に設けられ、用紙挟持部４Ａに露出する。
【００２９】
針カートリッジ１００Ａは、図３（ｂ）に示すように、針ガイド部１０１Ａを通る針１０の針足１２Ａを支持する針足支持部材１０４Ａと、針１０Ａをガイド部材１０２Ａに押圧するプッシャ１０５Ａと、針１０の打ち出しと連動して、図示しない送り爪を作動させる被押圧部１０６Ａを備える。
【００３０】
針足支持部材１０４Ａは金属素材で構成され、樹脂素材のケース１０３Ａで構成される第１の挟持部４０Ａに対し、用紙Ｐを挟持する側の反対側である下側に設けられる。針足支持部材１０４Ａは、ガイド部材１０２Ａと対向して、ケース１０３Ａの前面で針１０Ａの針足１２Ａが通る経路に露出する。針足支持部材１０４Ａは、針足支持部材１０４Ａとガイド部材１０２Ａとの間隔が近づく方向及び離れる方向に移動可能に設けられ、図示しないバネ等の付勢部材で、ガイド部材１０２Ａへ近づく方向に付勢される。針足支持部材１０４Ａは、針１０Ａの針足１２Ａが通る経路に、針足１２Ａが位置していない状態で、針足１２Ａを支持しない部位がガイド部材１０２Ａと当接する。このとき、針足支持部材１０４Ａの、針足１２Ａを支持する部位とガイド部材１０２Ａとの間は、針足１２Ａが通る経路となる隙間が形成される。この為、針足支持部材１０４Ａの、針足１２Ａを支持する部位は、ガイド部材１０２Ａと当接しない。
【００３１】
プッシャ１０５Ａは樹脂素材で構成され、ガイド部材１０２Ａと対向して、ケース１０３Ａの前面で針１０Ａが通る経路に露出する。プッシャ１０５Ａは、プッシャ１０５Ａとガイド部材１０２Ａとの間隔が近づく方向及び離れる方向に移動可能に設けられ、図示しないバネ等の付勢部材で、ガイド部材１０２Ａへ近づく方向に付勢される。プッシャ１０５Ａは、針１０Ａが通る経路に針１０Ａが位置していない状態で、プッシャ１０５Ａの前面の一部が、ガイド部材１０２Ａと当接する。
【００３２】
被押圧部１０６Ａは、針シートを送る図示しない送り爪を動作させる部材として設けられ、ガイド部材１０２Ａと対向して、ケース１０３Ａの前面で針１０Ａの針クラウン１１Ａが通る経路に露出する。被押圧部１０６Ａは、図示しないバネ等の付勢部材で、ガイド部材１０２Ａへ近づく方向に付勢される。被押圧部１０６Ａは、針１０Ａの針クラウン１１Ａが通る経路に、針クラウン１１Ａが位置していない状態で、被押圧部１０６Ａの先端が、ガイド部材１０２Ａと当接する。
【００３３】
ステープラ１Ａは、針打出ユニット２Ａと綴じユニット３Ａを開閉すると共に、針打出ユニット２Ａの繰り出し部２１Ａ及び打出部２２Ａと、綴じユニット３Ａのカット部３０Ａ及びクリンチャ部３１Ａを駆動する駆動部５Ａを備える。
【００３４】
駆動部５Ａは、針打出ユニット２Ａに設けられたモータ５０Ａに駆動されるカム５１Ａと、カム５１Ａの動作を各部に伝達する図示しないリンク等を備える。
【００３５】
ステープラ１Ａは、カム５１Ａの動作がリンク等を介して綴じユニット３Ａに伝達されることで、針打出ユニット２Ａと綴じユニット３Ａが離接する方向に相対移動する。本例は、軸３２Ａを支点とした回転動作で、綴じユニット３Ａが針打出ユニット２Ａに対して離接する方向に移動する。
【００３６】
ステープラ１Ａは、カム５１Ａが一方向に回転する動作で、綴じユニット３Ａが針打出ユニット２Ａに近づく方向に移動して、所定のタイミングで用紙Ｐを用紙挟持部４Ａで挟持する。また、ステープラ１Ａは、カム５１Ａが更に一方向に回転する動作で、所定のタイミングで綴じユニット３Ａが針打出ユニット２Ａから離れる方向に移動して、用紙挟持部４Ａでの用紙Ｐの挟持を解除する。
【００３７】
また、ステープラ１Ａは、カム５１Ａの動作がリンク等を介して繰り出し部２１Ａ及び打出部２２Ａに伝達され、カム５１Ａが１方向に回転する動作で、針カートリッジ１００Ａに収納された針１０Ａを繰り出し部２１Ａにより繰り出し、繰り出された針１０Ａの最先端の１本を、用紙挟持部４Ａで挟持された用紙Ｐに打出部２２Ａで打ち込んで、針１０Ａの針足１２Ａを用紙Ｐに貫通させる。また、２本目もしくは３本目の針１０Ａを、図４（ａ）等に示すように、略コ字形状に成形する。
【００３８】
更に、ステープラ１Ａは、カム５１Ａの動作がリンク等を介してカット部３０Ａ及びクリンチャ部３１Ａに伝達され、カム５１Ａが一方向に回転する動作で、用紙Ｐを貫通した針１０Ａの針足１２Ａをカット部３０Ａで所定の長さでカットし、所定の長さにカットされた針１０Ａの針足１２Ａをクリンチャ部３１Ａで折り曲げる。
【００３９】
ステープラ１Ａは、カット部３０Ａでカットされたカット針１３Ａを収納するカット針収納部６Ａを備える。カット針収納部６Ａは、用紙挟持部４Ａが設けられた側と反対のステープラ１Ａの後側に、ステープラ１Ａに対して着脱可能に取り付けられる。
【００４０】
＜画像形成システム及び後処理装置の構成例＞
図５は、本実施の形態の画像形成システムの概要を示す構成図、図６は、本実施の形態の後処理装置の一例を示す構成図である。
【００４１】
本実施の形態の画像形成システム５００Ａは、画像形成装置５０１Ａと、少なくとも１種類の処理が可能な後処理装置５０２Ａを備える。画像形成装置５０１Ａは、装置内または外部の図示しない給紙部から繰り出した用紙Ｐに画像を形成して出力する。画像形成装置５０１Ａは、本例では、走査露光による静電潜像の形成、トナーによる静電潜像の現像、トナーの用紙への転写及び定着により用紙Ｐに画像を形成する。
【００４２】
本実施の形態の後処理装置５０２Ａは、綴じ部５０３Ａにステープラ１Ａを備える。綴じ部５０３Ａは、画像形成装置５０１Ａから出力された用紙Ｐを積載する積載部５０４Ａを備える。
【００４３】
図６は、後処理装置５０２Ａの綴じ部５０３Ａを上側から見た図である。ステープラ１Ａは、図６に示すように、積載部５０４Ａに積載された用紙Ｐの一方の角部を綴じる第１の位置Ｐｐ１、用紙Ｐの辺ＰＬに沿った任意の箇所を綴じる第２の位置Ｐｐ２、用紙Ｐの他方の角部を綴じる第３の位置Ｐｐ３に、図示しない移動部により移動する。本例では、第１の位置Ｐｐ１は、ホームポジション（ＨＰ）である基準位置を兼ねる。カット針収納部６Ａの着脱は、本例では、第１の位置Ｐｐ１にステープラ１Ａを移動させ、扉５０５Ａを開くことで行われる。
【００４４】
＜本実施の形態のステープラの作用効果例＞
図７は、本実施の形態のステープラで用紙を綴じる動作の一例を示す説明図で、以下に、各図を参照して本実施の形態のステープラの動作について説明する。
【００４５】
ステープラ１Ａで用紙Ｐを綴じる動作では、図１に示す針打出ユニット２Ａの打出部２２Ａで、図示しない針シートから成形された１本の針１０Ａが分離されて打ち出される。針ガイド部１０１Ａでは、１本に分離された針１０Ａの針足１２Ａが矢印ｕ１方向に打ち出されることで、プッシャ１０５Ａとガイド部材１０２Ａとの間に入ると、プッシャ１０５Ａが針足１２Ａに押されて後退し、プッシャ１０５Ａとガイド部材１０２Ａとの間に１本の針１０Ａの厚さと同等の間隔が形成される。
【００４６】
これにより、針１０Ａの針クラウン１１Ａ及び針足１２Ａが、矢印ｆ１方向に付勢されるプッシャ１０５Ａによりガイド部材１０２Ａに押し付けられながら、プッシャ１０５Ａとガイド部材１０２Ａとの間を通る。よって、用紙挟持部４で挟持した用紙Ｐの面に対して傾いた状態で、針カートリッジ１００Ａから針１０Ａが打ち出されることが抑制される。
【００４７】
また、針ガイド部１０１Ａでは、１本に分離された針１０Ａの針足１２Ａが矢印ｕ１方向に打ち出されることで、針足１２Ａが、針足支持部材１０４Ａとガイド部材１０２Ａとの間の、針足１２Ａが通る経路として形成されている隙間に入る。これにより、針１０Ａの針足１２Ａは、針足支持部材１０４Ａとガイド部材１０２Ａとに支持されつつ、針足支持部材１０４Ａとガイド部材１０２Ａとの間を通る。
【００４８】
針ガイド部１０１Ａでは、用紙Ｐと接する部位で、金属素材で構成されるガイド部材１０２Ａと樹脂素材で構成される第１の挟持部４０Ａとの間を針１０Ａの針足１２Ａが通る。但し、第１の挟持部４０Ａの下側に、金属素材で構成される針足支持部材１０４Ａが設けられているので、この針足支持部材１０４Ａとガイド部材１０２Ａとで針足１２Ａが支持される。
【００４９】
この為、用紙挟持部４Ａで挟持した用紙Ｐを針１０Ａの針足１２Ａが貫通する動作で、用紙Ｐを針足１２Ａが貫通する際の貫通抵抗と、針１０Ａを用紙Ｐに打ち込む打ち込み力とによって、針足１２Ａが折れ曲がる座屈と称す事象の発生が抑制される。
【００５０】
更に、針ガイド部１０１Ａでは、１本に分離された針１０Ａの針クラウン１１Ａが矢印ｕ１方向に打ち出されることで、被押圧部１０６Ａとガイド部材１０２Ａとの間に入ると、被押圧部１０６Ａが針クラウン１１Ａに押されて後退し、針クラウン１１Ａが被押圧部１０６Ａを通過した後、針打出ユニット２Ａに設けられた針１０Ａを打ち出す部材が退避すると、被押圧部１０６Ａが前進する。この被押圧部１０６Ａの動作による図示しない送り爪の往復移動で、針カートリッジ１００Ａに収納された針シートが送られる。
【００５１】
従来のステープラでは、針カートリッジのケースで構成される挟持部に針足支持部材が露出している。針カートリッジのケースと、針足支持部材は独立した部品であるので、挟持部の表面には。挟持部と針足支持部材との境目に形成された溝や段差等が露出する。このため、用紙挟持部に用紙を挿入する動作で、用紙が引っ掛かり、用紙の挿入不良が発生する可能性があった。
【００５２】
これに対し、本実施の形態のステープラ１Ａでは。針カートリッジ１００Ａのケース１０３Ａで構成される第１の挟持部４０Ａの下側に針足支持部材１０４Ａが設けられ、第１の挟持部４０Ａの表面に針足支持部材１０４Ａが露出しない。これにより、第１の挟持部４０Ａには、用紙Ｐが引っ掛かるような溝等が形成されない。よって、用紙挟持部４Ａに用紙Ｐを挿入する動作で、用紙Ｐが途中で引っ掛かることが抑制され、用紙Ｐの挿入不良の発生が抑制される。
【００５３】
ここで、第１の挟持部４０Ａを構成する部位の針カートリッジ１００Ａのケース１０３Ａの厚さは、１ｍｍ〜３ｍｍ程度である。これに対し、針１０Ａの針足１２Ａの長さは、１０ｍｍ〜１５ｍｍ程度であり、針足１２Ａの長さに対し、第１の挟持部４０Ａの厚さは十分に薄い。これにより、第１の挟持部４０Ａで挟持される用紙Ｐと、針足支持部材１０４Ａとの間に、ガイド部材１０２Ａとの間で針足１２Ａを支持しない第１の挟持部４０Ａが存在しても、針足１２Ａの座屈の発生を十分に抑制することができる。
【００５４】
＜本実施の形態のステープラの変形例＞
本実施の形態のステープラ１Ａでは、針足支持部材１０４Ａは可動し、ガイド部材１０２Ａ方向に付勢される構成とした。これに対し、針足支持部材１０４Ａとガイド部材１０２Ａとの間に、１本の針１０Ａの厚さと同等で、１本の針１０Ａが通る間隔を形成した状態として、針足支持部材１０４Ａを固定した構成としても良い。
【符号の説明】
【００５５】
１・・・ステープラ、１０Ａ・・・針、１２Ａ・・・針足、２Ａ・・・針打出ユニット、２１Ａ・・・繰り出し部、２２Ａ・・・打出部、３Ａ・・・綴じユニット、３０Ａ・・・カット部、３１Ａ・・・クリンチャ部、３２Ａ・・・軸、４Ａ・・・用紙挟持部、４０Ａ・・・第１の挟持部、４１Ａ・・・第２の挟持部、４２Ａ・・・用紙位置規制部、５Ａ・・・駆動部、６Ａ・・・カット針収納部、１００Ａ・・・針カートリッジ、１０１Ａ・・・針ガイド部、１０２Ａ・・・ガイド部材、１０３Ａ・・・ケース、１０４Ａ・・・針足支持部材、１０５Ａ・・・プッシャ、１０６Ａ・・・被押圧部材
【図１】
2018069634.tif 000003
【図２】
2018069634.tif 000004
【図３】
2018069634.tif 000005
【図４】
2018069634.tif 000006
【図５】
2018069634.tif 000007
【図６】
2018069634.tif 000008
【図７】
2018069634.tif 000009